(57)【要約】【課題】本発明は、部品点数が少なく取付作業も容易に行うことが可能なダンパ機構を備えたディスク装置を提供することを目的とするものである。【解決手段】本体フレームに上下動可能に取り付けられたホルダ２１に、ダンパ２２を介してシャーシ３を取り付ける。ダンパ２２は、上下両端部に一対のフランジ部が形成された筒状体であり、各フランジ部の内側に隣接して一対の小径の第一取付部が形成されている。第一取付部の間には一対の大径の膨出部が形成されており、一対の膨出部の間には小径の第二取付部が形成されている。ホルダ２１には、第一取付部に嵌合するように形成された切欠き３０を備えた一対の支持部２９が設けられており、シャーシ３の側端部には、第二取付部に嵌合するように切欠き２８が形成されている。【選択図】図３
2005267685.tif 000002
【特許請求の範囲】
【請求項１】
内部に開口領域が形成された本体フレームと、前記開口領域の側部に配設されると共に前記本体フレームに上下動可能に取り付けられたホルダと、前記開口領域内に配設されると共にピックアップ機構を搭載するシャーシと、前記シャーシの側端部を前記本体フレームに保持する保持部材と、該保持部材に対向配置されるとともに前記シャーシの側端部を前記ホルダに保持する弾性部材とを備えるディスク装置であって、
前記弾性部材は、上下両端部に一対のフランジ部が形成された筒状体であり、各フランジ部の内側に隣接して一対の小径の第一取付部が形成されており、一対の第一取付部の間には一対の大径の膨出部が形成されており、一対の膨出部の間には小径の第二取付部が形成されており、
前記ホルダには、前記第一取付部に嵌合するように形成された切欠きを備えた一対の支持部が設けられており、
前記シャーシの側端部には、前記第二取付部に嵌合するように切欠きが形成されている
ことを特徴とするディスク装置。
【請求項２】
一対の前記第一取付部の間の間隔は、一対の前記支持部の間の間隔よりもわずかに小さく設定されており、前記支持部が前記第一取付部に嵌合することで前記弾性部材が前記支持部の間に圧接挟持されることを特徴とする請求項１に記載のディスク装置。
【請求項３】
前記シャーシの側端部は、前記切欠きが前記第二取付部に嵌合して一対の前記膨出部の間に圧接挟持されていることを特徴とする請求項２に記載のディスク装置。
【請求項４】
請求項１から３のいずれかに記載のディスク装置を備えたことを特徴とする電子機器。
【発明の詳細な説明】
【技術分野】
【０００１】
本発明は、ＣＤ（Conpact Disk）やＤＶＤ（Digital Versatile Disk）等のディスクに記録された情報をピックアップ機構により読み取るディスク装置に関する。
【背景技術】
【０００２】
ディスク装置では、ピックアップ機構を取り付ける際に外部から振動が伝わらないように防振機構としてダンパを介して取り付けるようにされている。例えば、特許文献１には、シャーシから立設する支柱に立設方向の振動を吸収する第１のダンパ機構を設けた点が記載されている。また、特許文献２には、中空の膨出部とシャーシ側の取付部を保持するための保持部とを備えたダンパと、ダンパに挿通して位置決めする支持体とを備えた防振支持装置が記載されている。また、特許文献３には、上部伸縮部と下部伸縮部との間に取付部を設け断面形状が概略ひょうたん型の中空のダンパーゴムと、光ディスクドライブ装置本体に立設されダンパーゴムの上下伸縮部と係合し支持する支持軸とを備えた防振装置が記載されている。
【特許文献１】特開平１１−１６３３６号公報
【特許文献２】特開２０００−２９１７３９号公報
【特許文献３】特開平１０−４７４０１号公報
【発明の開示】
【発明が解決しようとする課題】
【０００３】
上述した特許文献１では、ダンパー機構としてバネ及びゴム部材をネジにて固定するようにしているが、ダンパーを構成する部品点数が多く、コストがかかり取付作業も手間がかかる機構となっている。特許文献２及び３では、ダンパをゴムで構成してダンパ自体にシャーシ等を取り付けるようにして部品点数が少なくなるようにしているが、ダンパを位置決めするために支持軸を必要としており、支持軸を設けるために、特許文献２のように支持体を取り付けたり、特許文献３のように装置本体に形成したりする必要がある。また、ダンパを挟持するために、特許文献２では、支持体に鍔部を設けたり、特許文献３では、別途押圧部材で押圧するようにしている。そのため、ダンパ機構が複雑になり、コストアップの要因となる。
【０００４】
そこで、本発明は、部品点数が少なく取付作業も容易に行うことが可能なダンパ機構を備えたディスク装置を提供することを目的とするものである。
【課題を解決するための手段】
【０００５】
本発明に係るディスク装置は、内部に開口領域が形成された本体フレームと、前記開口領域の側部に配設されると共に前記本体フレームに上下動可能に取り付けられたホルダと、前記開口領域内に配設されると共にピックアップ機構を搭載するシャーシと、前記シャーシの側端部を前記本体フレームに保持する保持部材と、該保持部材に対向配置されるとともに前記シャーシの側端部を前記ホルダに保持する弾性部材とを備えるディスク装置であって、前記弾性部材は、上下両端部に一対のフランジ部が形成された筒状体であり、各フランジ部の内側に隣接して一対の小径の第一取付部が形成されており、一対の第一取付部の間には一対の大径の膨出部が形成されており、一対の膨出部の間には小径の第二取付部が形成されており、前記ホルダには、前記第一取付部に嵌合するように形成された切欠きを備えた一対の支持部が設けられており、前記シャーシの側端部には、前記第二取付部に嵌合するように切欠きが形成されていることを特徴とする。さらに、一対の前記第一取付部の間の間隔は、一対の前記支持部の間の間隔よりもわずかに小さく設定されており、前記支持部が前記第一取付部に嵌合することで前記弾性部材が前記支持部の間に圧接挟持されることを特徴とする。さらに、前記シャーシの側端部は、前記切欠きが前記第二取付部に嵌合して一対の前記膨出部の間に圧接挟持されていることを特徴とする。
【発明の効果】
【０００６】
上記のような構成を有することで、ホルダに設けられた一対の支持部に弾性部材に形成された一対の第一取付部を嵌合するとともに第二取付部にシャーシの切欠きを嵌合することで容易に弾性部材を取り付けることができ、弾性部材以外にネジ等の固定部材は不要である。すなわち、第一取付部は、フランジ部及び膨出部の間に形成された小径部のため、ホルダの支持部が第一取付部に嵌合すると、フランジ部及び膨出部に挟持されるようになり、しっかり保持される。そして、弾性部材の上下両端部においてホルダと嵌合しているため、弾性部材が揺動することがないようにホルダに保持されるようになる。また、第二取付部は、膨出部の間に形成された小径部のため、シャーシの側端部が嵌合すると、膨出部により挟持されてしっかり保持される。
【０００７】
そして、一対の第一取付部の間の間隔を一対の支持部の間の間隔よりもわずかに小さく設定することで、弾性部材が支持部の間に圧接挟持されるようになり、より強固に弾性部材がホルダに保持されるようになる。その場合、一対の膨出部が圧迫されて、第二取付部に嵌合したシャーシの側端部をより強固に圧接挟持するようになる。
【発明を実施するための最良の形態】
【０００８】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【０００９】
図１は、本発明に係る実施形態に関する内部構造を示す概略平面図である。本体フレーム１の底面には、大きく切欠いて開口領域２が形成されており、開口領域２内には後述するシャーシ３が配設される。本体フレーム１の前方（図１では下側）には、ディスクが載置されるトレイ４を前後方向に案内する前側フレーム部５が形成されており、トレイ４の下面に前後方向に形成された摺動溝６が前側フレーム部５に突設した案内用突起７に嵌合してトレイ４は本体フレーム１内に搬入及び搬出される。トレイ４の下面には、前後方向に沿ってトレイラック８が配設されており、駆動伝達機構９により回転する歯車１０にトレイラック８が噛み合ってトレイ４は前後方向に移動制御される。トレイ４の搬送路の上側にはクランパ１１を担持する上側フレーム部１２が本体フレーム１に架設されている。
【００１０】
図２は、シャーシ３に搭載されたピックアップ機構を示す平面図である。シャーシ３は、ディスクをクランプして支持するターンテーブル１３を備えたモータが固定されており、中央部分に形成された矩形状の開口領域１４には、ピックアップ装置１５が配設される。ターンテーブル１３の上部には、上側フレーム部１２に担持されたクランパ１１が配置されている。ピックアップ装置１５は、シャーシ３に立設された支持台１６に固定された一対の棒状ガイド１７に摺動自在に装着されており、ターンテーブル１３に装填されたディスクの半径方向に移動して読み取り動作を行う。
【００１１】
ピックアップ装置１５の一方の側部には基台１８が固定されており、ラック−ピニオン機構１９により基台１８が移動することでピックアップ装置１５が搬送されて読取位置に位置決めされるようになっている。ラック−ピニオン機構１９は、駆動伝達機構２０により駆動されるようになっている。
【００１２】
シャーシ３の前側の側端部は、本体フレーム１の開口領域２の側部に上下動自在に配設されたホルダ２１に２つのダンパ２２を介して取り付けられ、後側の側端部は、切欠き２３が形成されてダンパ２４を介して本体フレーム１に取り付けられている。
【００１３】
ホルダ２１は、左右の端部に係合突起２５が突設されており、係合突起２５が本体フレーム１に形成された上下方向の摺動溝に嵌合して上下動自在に装着される。また、ホルダ２１の前側には、係合ボス２６が突設されており、本体フレーム１に配設されたスライダ２７の側面に左右方向に穿設されたカム溝に係合ボス２６が係合している。そして、スライダ２７が左右方向に摺動することで、ホルダ２１が上下動するようになる。
【００１４】
トレイ４が搬入又は搬出される際に、スライダ２７を駆動してホルダ２１を下降させてシャーシ３を下方に傾斜した状態とする。この状態では、クランパ１１とターンテーブル１３とが離間した状態となり、ディスクの搬送が可能な状態となる。
【００１５】
図３は、シャーシ３及びホルダ２１の取付状態を分解して示した斜視図である。図３では、説明を容易にするためピックアップ機構等の部品は省略している。シャーシ３には、ダンパ２２が嵌合する切欠き２８が形成されており、ホルダ２１には、支持部２９が延設されており、支持部２９にはダンパ２２が嵌合する切欠き３０が形成されている。図４は、図３におけるホルダ２１のＡ−Ａ断面図を示している。図４に示されるように、支持部２９は、ホルダ２１の上端部及び下端部からそれぞれ延設されている。
【００１６】
ダンパ２２は、図５の斜視図及び図６の断面図に示すように、ゴム材料を筒状に成形しており、上下の両端部にはフランジ部３１が形成されている。フランジ部３１の内側には小径に形成された第一取付部３３が形成されている。第一取付部３３に隣接して大径の膨出部３２が形成されており、一対の膨出部３２の間には小径の第二取付部３４が形成されている。そして、一対の第一取付部３３にはホルダ２１の一対の支持部２９の切欠き３０が嵌合しており、第二取付部３４にはシャーシ３の切欠き２８が嵌合する。図７に示すように、一対の第一取付部３３の間の間隔は、切欠き３０の間の間隔よりもわずかに大きくなるように設定されているため、ダンパ２２をホルダ２１の一対の支持部２９に嵌合すると、一対の膨出部３２が第二取付部３４に向かって圧迫されて取り付けられる。したがって、ダンパ２２は、一対の支持部２９の間に圧接挟持されるようになる。さらに、フランジ部３１と膨出部３２が支持部２９を上下から当接するようになるため、ダンパ２２はホルダ２１に強固に保持される。
【００１７】
図８は、ホルダ２１にダンパ２２及びシャーシ３を取り付ける工程を示している。図８（ａ）に示すように、まず、ホルダ２１の支持部２９の延設方向からダンパ２２を挿入する。ダンパ２２が支持部２９に挿入して切欠き３０に第一取付部３３が嵌合すると、膨出部３２が圧接されて第二取付部３４が圧縮された状態となる（図８（ｂ））。次に、シャーシ３の切欠き２８を圧縮された第二取付部３４に挿入していき、嵌合させると、切欠き２８が一対の膨出部３２の間に圧接挟持されるようになる（図８（ｃ））。
【００１８】
以上のように、ホルダ２１にダンパ２２及びシャーシ３を挿入していくことで、ホルダ２１にシャーシ３を強固に保持することができるようになり、取付作業をきわめて単純化することが可能となる。
【００１９】
図９は、ホルダ２１が上下動した場合の状態を示している。図９（ａ）は、ホルダ２１が上昇した位置にあり、図９（ｂ）は、ホルダ２１が下降した位置にある状態を示している。ホルダ２１が上昇した位置にある場合は、シャーシ３の切欠き部分は、ホルダ２１の支持部２９とほぼ平行になるようにダンパ２２の第二取付部に嵌合しているが、ホルダ２１が下降すると、シャーシ３は、本体フレーム１に取り付けられたダンパ２４を中心として下方に回動するようになり、傾斜した状態となる。そのため、シャーシ３の切欠き部分とホルダ２１の支持部２９は平行状態ではなくなるが、シャーシ３の切欠き部分を圧接挟持する一対の膨出部３２が変形してシャーシ３を圧接挟持する状態を維持する。
【００２０】
このように、シャーシ３が傾斜した状態となっても切欠き部分が圧接挟持された状態が維持されるので、シャーシ３の取付位置がずれたり、外れたりすることがない。こうした作用効果を発揮することができるのは、ダンパ２２が上下にフランジ部を備え第一取付部から膨出部までが一体に成形されており、第一取付部においてホルダ２１の支持部２９を十分強い力で圧接挟持しているため、膨出部がホルダに対してずれることがなく、また、膨出部の間にシャーシ３の切欠き部分が十分な力で圧接挟持されていることから、シャーシ３が膨出部に対してずれることがないためである。
【００２１】
図１０は、上述したディスク装置を内蔵する電子機器として映像再生装置１００を示している。映像再生装置１００の筐体内には、ディスク装置１０１が内蔵されており、フロントパネル１０２に設けられた開口部からトレイ１０３が送出され、また送入される。ディスク装置１０１に隣接して主制御基板１０４が配設されており、主制御基板１０４の前面側に表示基板１０５が取り付けられている。そして、フロントパネル１０２の開口部に表示パネルが露出しており、その下部に操作ボタンが配列されている。
【００２２】
操作ボタンを操作することで、ディスク装置１０１のトレイ１０３を送出し、記録ディスクをトレイ１０３に載置してトレイ１０３をディスク装置１０１に送入する。そして、上述したように、ディスク装置１０１内のシャーシ３が上下動して記録ディスクがターンテーブル及びクランパの間に挟持されるようになる。
【００２３】
シャーシ３は、上述したダンパにより支持されているため耐振性に優れており、より安全性の高い映像再生装置とすることができる。
【図面の簡単な説明】
【００２４】
【図１】本発明に係る実施形態に関する内部構造を示す概略平面図である。
【図２】図１のピックアップ機構に関する概略平面図である。
【図３】シャーシ及びホルダに関する分解斜視図である。
【図４】図３のホルダに関するＡ−Ａ断面図である。
【図５】ダンパに関する斜視図である。
【図６】ダンパに関する断面図である。
【図７】ダンパとホルダの支持部との間の取付状態を説明する図である。
【図８】取付工程を説明する図である。
【図９】シャーシ及びホルダに関する動作状態を説明する図である。
【図１０】本発明に係るディスク装置を内蔵した映像再生装置に関する斜視図である。
【符号の説明】
【００２５】
１    本体フレーム
２    開口領域
３    シャーシ
４    トレイ
21    ホルダ
22    ダンパ
28    切欠き
29    支持部
30    切欠き
31    フランジ部
32    膨出部
33    第一取付部
34    第二取付部
【図１】
2005267685.tif 000003
【図２】
2005267685.tif 000004
【図３】
2005267685.tif 000005
【図４】
2005267685.tif 000006
【図５】
2005267685.tif 000007
【図６】
2005267685.tif 000008
【図７】
2005267685.tif 000009
【図８】
2005267685.tif 000010
【図９】
2005267685.tif 000011
【図１０】
2005267685.tif 000012